(57)【要約】【課題】開口が形成されることによって端部が自由端となり、強度的に脆弱になってしまう周壁の補強が好適にできるようにした記録テープカートリッジの提供を課題とする。【解決手段】上ケース１６と下ケース１８とが互いの周壁１６Ａ、１８Ａを当接させて接合され、記録テープＴが巻装された単一のリール１４を回転可能に収容する略矩形状のケース１２と、ケース１２のドライブ装置への装填側角部に形成され、記録テープＴの端部に取り付けられたリーダー部材２２を引き出すための開口２０と、を備えた記録テープカートリッジにおいて、ケース１２のドライブ装置への装填側周壁１２Ａに、上ケース１６と下ケース１８とに跨る平面視等脚台形状の凹部４３を形成する。【選択図】　　　図５
2004095066.tif 000002
【特許請求の範囲】
【請求項１】
上ケースと下ケースとが互いの周壁を当接させて接合され、記録テープが巻装された単一のリールを回転可能に収容する略矩形状のケースと、
前記ケースのドライブ装置への装填側角部に形成され、前記記録テープの端部に取り付けられたリーダー部材を引き出すための開口と、
を備えた記録テープカートリッジにおいて、
前記ケースのドライブ装置への装填側周壁に、上ケースと下ケースとに跨る凹部を形成したことを特徴とする記録テープカートリッジ。
【請求項２】
前記凹部は、平面視等脚台形状に形成されていることを特徴とする請求項１に記載の記録テープカートリッジ。
【発明の詳細な説明】
【０００１】
【発明の属する技術分野】
本発明は、主にコンピューター等の記録再生媒体として使用される磁気テープ等の記録テープが巻装された単一のリールをケース内に収容してなる記録テープカートリッジに関する。
【０００２】
【従来の技術】
従来から、コンピューター等のデータ記録再生媒体として使用されている磁気テープを単一のリールに巻装し、そのリールをケース内に収容してなる磁気テープカートリッジが知られている。この磁気テープの先端には、リーダーピンやリーダーテープ、リーダーブロックといったリーダー部材が設けられており、そのリーダー部材をドライブ装置側に設けられた引出手段が磁気テープカートリッジの開口から引き出し、それに固着された磁気テープをドライブ装置側の巻取リールに巻装させるようになっている。
【０００３】
また、磁気テープカートリッジの下面に穿設された開孔から現出しているリールの下面中央にはリールギアが環状に刻設されており、ドライブ装置側の回転シャフトに設けられた駆動ギアがそのリールギアに噛合することにより、リールが回転駆動するように構成されている。しかして、磁気テープカートリッジのリール及びドライブ装置の巻取リールを同期して回転させることにより、磁気テープにデータを記録したり、磁気テープに記録されたデータの再生ができる。
【０００４】
このような磁気テープカートリッジは、保存時の収容スペースが小さくて済むとともに大容量の情報を記録でき、リーダー部材のタイプ毎に、開口位置及びその開口を開閉するドアのタイプが異なっている。例えば、リーダーピンを使用するタイプの場合は、図６で示すように、ケース６２の側壁６４前端にリーダーピン６０引き出し用の開口６８が形成されており、ドライブ装置への装填方向（矢印Ｐ方向）と逆方向にスライド移動するドア６６によって、その開口６８が開閉されるようになっている。
【０００５】
なお、ケース６２内には、磁気テープＴを巻装したリール７２が回転可能に収容されるようになっており、その磁気テープＴの先端にリーダーピン６０が取り付けられている。そして、ケース６２の開口６８の内側には、不使用時（保管時等）にリーダーピン６０を保持する上下一対のピン保持部７０が設けられている。このピン保持部７０は、リーダーピン６０が出入できるように一部が開放された平面視略半円形状の凹部になっており、その凹部（ピン保持部７０）内に直立状態のリーダーピン６０の両端部６０Ａが挿入される。
【０００６】
【発明が解決しようとする課題】
しかしながら、上記のようにケース６２の側壁６４前端部に開口６８が形成されていると、前壁６３の右端部が、開口６８が形成されていることにより自由端になってしまうため、前壁６３自体の強度が脆弱になってしまっていた。そのため、前壁６３に落下衝撃を受けると、開口６８の内側に保持されているリーダーピン６０が、ピン保持部７０から脱落したり、位置ずれしたりする不具合が発生してしまっていた。つまり、前壁６３は落下の衝撃に対して最もダメージを受けやすい部分であり、この部分の強度を確保することが従来からの課題になっている。
【０００７】
そこで、本発明は、特に開口が形成されることによって端部が自由端となり、強度的に脆弱になってしまう周壁（前壁）の補強が好適にできるようにした記録テープカートリッジを得ることを目的とする。
【０００８】
【課題を解決するための手段】
上記の目的を達成するために、本発明に係る請求項１に記載の記録テープカートリッジは、上ケースと下ケースとが互いの周壁を当接させて接合され、記録テープが巻装された単一のリールを回転可能に収容する略矩形状のケースと、前記ケースのドライブ装置への装填側角部に形成され、前記記録テープの端部に取り付けられたリーダー部材を引き出すための開口と、を備えた記録テープカートリッジにおいて、前記ケースのドライブ装置への装填側周壁に、上ケースと下ケースとに跨る凹部を形成したことを特徴としている。
【０００９】
このように、ケースのドライブ装置への装填側周壁（前壁）に凹部を形成すると、その周壁（前壁）の一部が折り曲げ加工されたことになるため、それによる強度の増加を図ることができる。したがって、端部に開口が形成された、その周壁（前壁）の耐衝撃性を向上させることができ、落下の衝撃によるリーダー部材の保持部からの脱落や位置ずれを防止することができる。
【００１０】
また、このように、凹部が上ケースと下ケースとに跨って形成されていると、例えばドライブ装置に対する識別用として利用することができる。つまり、記録テープカートリッジは外観が同じであれば、その記録テープカートリッジを記録・再生不可なドライブ装置であっても装填されてしまうことがある。
【００１１】
したがって、そのまま誤って再生操作等をしてしまうことにより、記録テープカートリッジ自体が損傷したり、ドライブ装置が故障したりすることがあった。そこで、この凹部に係合する係合部材をドライブ装置に配設し、その記録テープカートリッジが、そのドライブ装置で記録・再生可能か否かの判断ができるようにすれば、上記したような問題が生じないようにできる。
【００１２】
また、請求項２に記載の記録テープカートリッジは、請求項１に記載の記録テープカートリッジにおいて、前記凹部が、平面視等脚台形状に形成されていることを特徴としている。このような形状にすると、ケースのドライブ装置への装填側周壁（前壁）の補強がより一層効果的になる。
【００１３】
【発明の実施の形態】
以下、本発明の実施の形態に係る記録テープカートリッジ（磁気テープカートリッジ）１０を図１乃至図５に基づいて説明する。なお、説明の便宜上、記録テープカートリッジ１０のドライブ装置への装填方向を矢印Ａで示し、それを記録テープカートリッジ１０の前方向（前側）とする。そして、矢印Ａと直交する矢印Ｂ方向を右方向とする。
【００１４】
図１、図２で示すように、記録テープカートリッジ１０は、平面視で略矩形状のケース１２内に、情報記録再生媒体である記録テープとしての磁気テープＴを巻装した単一のリール１４を回転可能に収容して構成されている。ケース１２は、ドライブ装置への装填方向先頭側の１つの角部である右前角部がそれぞれ斜めに切り欠かれた一対の上ケース１６と下ケース１８とを互いの周壁１６Ａ、１８Ａを突き合せて接合することで構成されており、内部に磁気テープＴを巻装したリール１４の収容空間が設けられている。
【００１５】
また、上ケース１６及び下ケース１８の周壁１６Ａ、１８Ａの切り取られた角部が磁気テープＴの引き出し用の開口２０とされ、この開口２０から引き出される磁気テープＴの自由端に、ドライブ装置の引出手段によって係止（係合）されつつ引き出し操作されるリーダーピン２２が接続されている。リーダーピン２２の磁気テープＴの幅方向端部より突出した両端部には、環状溝２２Ａが形成されており、この環状溝２２Ａが引出手段のフック等に係止される。これにより、磁気テープＴを引き出す際に、フック等が磁気テープＴに接触して傷付けない構成である。
【００１６】
また、ケース１２の開口２０の内側には、ケース１２内においてリーダーピン２２を位置決め、保持する上下一対のピン保持部２４が設けられている。ピン保持部２４は、略半円筒形状をしており、その凹部２４Ａ内に直立した状態のリーダーピン２２の両端部が保持される。そして、ピン保持部２４の外周壁の磁気テープＴ引き出し側は開放しており、リーダーピン２２が出入する出入口となっている。
【００１７】
ピン保持部２４の近傍には、板ばね２５が、前壁１２Ａ（周壁１６Ａ、１８Ａのうち、外面が矢印Ａ方向を向く部分）の内面に設けられたばね保持部２７と溝部２３（図３、図４参照）に、その基部が挿入されて固定配置されるようになっており、この板ばね２５の二股状の先端部がリーダーピン２２の上下両端部にそれぞれ係合してリーダーピン２２をピン保持部２４に保持するようになっている。なお、リーダーピン２２がピン保持部２４に出入する際には、板ばね２５の先端部は適宜弾性変形してリーダーピン２２の移動を許容する構成である。
【００１８】
更に、下ケース１８の中央部には、リール１４の図示しないリールギアを外部に露出するためのギア開口２６が設けられており、リール１４はリールギアがドライブ装置の駆動ギアに噛合されてケース１２内で回転駆動されるようになっている。また、リール１４は、上ケース１６及び下ケース１８の内面にそれぞれ部分的に突設されて、ギア開口２６と同軸的な円形の軌跡上にある内壁としての遊動規制壁２８によってガタつかないように保持されている。
【００１９】
この遊動規制壁２８の開口２０近傍の端部には、内部に位置規制用穴が形成された袋部２８Ａが連設されている。また、ケース１２の左前角部の内側においては、長穴である位置規制用穴が形成された袋部２９が遊動規制壁２８とは離間して設けられている。袋部２８Ａ、２９は、矢印Ｂ方向に沿った一直線上に配置されている。そして、袋部２８Ａが連設された端部を除いて、各遊動規制壁２８は、それぞれ端部がケース１２の周壁１６Ａ又は周壁１８Ａと連設されることで、その外側とリール１４の設置空間とを仕切っている。
【００２０】
また、下ケース１８の右後部には、各記録テープカートリッジ１０毎に、その各種情報を記憶されたメモリーボードＭが設置されるようになっており、下面側から読み取るドライブ装置と、後壁側から読み取るライブラリー装置（複数の記録テープカートリッジ１０を収容し、ドライブ装置に対して自動的に装填・取出をする装置）での検知が可能となるように、後部内壁１８Ｂが所定角度の傾斜面に形成され、メモリーボードＭが支持突起１９により支持されて、所定角度に傾斜配置されるようになっている。
【００２１】
また、下ケース１８の左後部には、その記録テープカートリッジ１０への記録可・不可が設定されるライトプロテクト（図示省略）が設けられるようになっており、ライトプロテクトを操作する操作突起（図示省略）が突出する開孔１７が穿設されている。
【００２２】
また、ケース１２の前壁１２Ａの右端部には、開口２０の前縁部を規定する上下一対の短い傾斜壁部３０が設けられている。この傾斜壁部３０は、開口２０の開放面に沿って屈曲形成され、開口２０閉塞時に、後述する平面視略円弧状ドア５０の先端がその内側に入り込むことによって、塵埃等が進入できる隙間が生じないようにする防塵壁となっている。そして、傾斜壁部３０の左方近傍の前壁１２Ａ内側には、上下一対のビスボス３２が連設されている。
【００２３】
また、ケース１２の右壁１２Ｂ（周壁１６Ａ、１８Ａのうち、外面が矢印Ｂ方向を向く部分）の前端部内側には、平面視で、後述するドア５０の外周面に略沿った形状の上下一対の傾斜壁部３４が設けられている。この傾斜壁部３４の前端面が開口２０の後縁を規定しており、その前端部には上下一対のビスボス３６が設けられている。
【００２４】
また、ケース１２の右壁１２Ｂには、ケース１２の内外を連通する窓部としての所定長さのスリット４０が設けられており、後述するドア５０の操作突起５２の露出用とされている。このスリット４０は、右壁１２Ｂを構成する上ケース１６の周壁１６Ａの前側下部を切り欠いて形成され、開口２０側へも開放されている。このように、スリット４０が周壁１６Ａの一部を上側に残して形成されると、ケース１２の剛性を維持することができるので好ましい。特にスリット４０を規定する上側の壁が傾斜壁部３４から一体に連設されていると、更に好ましい。
【００２５】
また、下ケース１８の後方側には、周壁１８Ａの上端を除く部分が断面視略「コ」字状にケース１２の内方へ凹むとともに、ケース１２の下面から上方へも凹んだ（底板が切り欠かれた）凹部４８が形成されている。この凹部４８は、ケース１２の左壁にも形成され、例えばドライブ装置の引き込み手段が係合する係合部とされたり、その底面（下向きの面）がドライブ装置内での位置決め用の基準面とされたりするようになっている。
【００２６】
また、その凹部４８の後方側にも周壁１８Ａの上端を除く部分が断面視略「コ」字状にケース１２の内方へ凹むとともに、ケース１２の下面から上方へも凹んだ（底板が切り欠かれた）凹部４６が形成されている。この凹部４６は、ライブラリー装置の把持手段が係合する係合部とされており、このような凹部４６、４８を設けることでケース１２（下ケース１８）の捩り強度が向上される。また、上ケース１６の左壁の上面部分には、平面視略台形状の凹部４４が形成されている。この凹部４４は、開口２０の開放時、ドア５０の開放方向への移動に伴う回転モーメントをキャンセルするための保持部材（図示省略）が係合する係合部とされている。
【００２７】
また、上ケース１６及び下ケース１８において、傾斜壁部３０の近傍と、開口２０近傍から後壁の近傍まで、後述するドア５０の凸部５１を内面側及び外面側の両側方から挟み込むように支持する所定高さ（例えば、１．０ｍｍ〜１．５ｍｍ程度）のガイド壁部４２が立設されている。このガイド壁部４２は、平面視略円弧状に形成されるとともに、上ケース１６と下ケース１８とではその長さが異なっており、上ケース１６側の方が下ケース１８側よりも後側が長く形成されている。これは、下ケース１８の後部内壁１８Ｂの右壁１２Ｂ側に、メモリーボードＭを所定角度で傾斜配置しているからである。
【００２８】
また、ガイド壁部４２の後端部は平面視略円弧状に閉塞されており、ドア５０がそれ以上後方へ移動できないように、上下それぞれ最も後側の凸部５１を規制するようになっている。一方、ガイド壁部４２の前端部は開放されており、リーダーピン２２の出入時に、そのリーダーピン２２の出入を妨げないような位置、例えばピン保持部２４よりも後方側で、かつ開口幅の約半分程度の位置まで延設されている。
【００２９】
また、上ケース１６内面及び下ケース１８内面には、その開口２０から露出している外側のガイド壁部４２と一体になって平面視略台形状をなすリブ３８が、そのガイド壁部４２と同等の高さになるように立設されており、このリブ３８によって開口２０部分における上ケース１６及び下ケース１８の強度が確保されるようになっている。なお、内側のガイド壁部４２はピン保持部２４と一体になるように連設されているが、ピン保持部２４の高さは、一体に連設されたガイド壁部４２の高さと略同等か、それよりも高く形成されていることが望ましい。
【００３０】
以上、説明した上ケース１６と下ケース１８とは、開口２０の縁部の近傍に位置する各ビスボス３２、３６に下側から図示しないビスがねじ込まれて、固定（接合）される構成である。これによって、傾斜壁部３０（前壁１２Ａ）及び傾斜壁部３４（右壁１２Ｂ）の各自由端によって規定され、強度的に不利で落下によって地面等に衝突しやすい開口２０両端のコーナー部は強固に接合され、ケース１２を落しても、記録テープカートリッジ１０全体の重量で変形したり、座屈して位置ずれしたりしない構成である。
【００３１】
また、その開口２０は、遮蔽部材としてのドア５０によって開閉されるようになっている。ドア５０は、少なくとも開口２０を閉塞する部分の板幅（高さ）が開口２０の開口高さと略同一に形成され、その板長が開口２０の開口幅よりも充分大きく形成されている。そして、所定の円周に沿って移動できるように、板厚方向に湾曲した平面視略円弧状に形成されている。
【００３２】
このドア５０は、その先端部が傾斜壁部３０近傍のガイド壁部４２に入り込んだ状態で開口２０を閉塞し、上記した所定の円周に沿って略後方へスライド移動（回動）して開口２０を開放し、その先端近傍の外周面がビスボス３６近傍に達すると、開口２０を完全に開放する構成になっている。そして、開口２０を開放する際と反対方向にスライド移動（回動）することにより、開口２０を閉塞する構成になっている。
【００３３】
このように、ドア５０は、その移動軌跡である所定の円周に対応した円弧状に湾曲形成されており、その回動中心は、本実施の形態では、左右方向の位置がケース１２の左端近傍に、前後方向の位置がスリット４０の後端近傍に設定されている。これにより、ドア５０の移動軌跡は、スリット４０の後端近傍において、ケース１２の右壁１２Ｂに最も近接する。なお、ドア５０の回転中心及び半径は、ドライブ装置からの要求により決まる開口２０前後の縁部（傾斜壁部３０及びビスボス３６）の位置やライブラリー装置からの要求により決まる開口２０の開放面の角度等に応じて適宜決められればよい。
【００３４】
また、ドア５０の湾曲した長手寸法は、その後端部が開口２０の閉塞状態において、ケース１２の凹部４８よりも後方の（凹部４６近傍の）右後角部内に位置するように決められており、ドア５０の後下部は、下ケース１８の後部内壁１８Ｂ側に所定角度で傾斜配置されたメモリーボードＭを回避するために、斜めに切り欠かれている。
【００３５】
また、そのドア５０の上面及び下面には、ガイド壁部４２のガイド面（互いに対向している内面）と、ガイド壁部４２間の上ケース１６内面及び下ケース１８内面にそれぞれ当接して、ドア５０を開口２０の開閉方向に案内する凸部５１が突設されている。この凸部５１は、ドア５０の長手方向に沿って長い平面視略楕円形状に形成され、上面及び下面にそれぞれ４つずつ、最も後側の凸部５１を除いて上下対称に、かつ、ガイド壁部４２の高さと略同等の高さになるように突設されている。なお、最後側の凸部５１が上下対称でないのは、ドア５０の後下部が斜めに切り欠かれていることによる。
【００３６】
このような凸部５１を設けると、ガイド壁部４２のガイド面並びにガイド壁部４２間の上ケース１６内面及び下ケース１８内面と、ドア５０との摺動抵抗（摩擦）を低減することができ、ドア５０を抵抗少なく、スムーズに摺動させることが可能となる。更に、凸部５１が平面視略楕円形状に形成されていると、例えば平面視略円形状に形成されているものよりも耐衝撃性に優れる。したがって、落下等の衝撃により、ドア５０に開閉方向以外から力が加えられても、その凸部５１が折れるような心配はない。
【００３７】
また、ドア５０の長手方向中央部よりも若干前方（ドア５０の板幅が異なる境界部分近傍）における外周面には、操作部としての操作突起５２がドア５０の径方向に沿って突設されている。操作突起５２は、スリット４０からケース１２の外側に露出されるようになっており、開口２０の閉塞状態ではビスボス３６の後端から僅かに離間して位置するとともに、スリット４０の前方へ開放された部分から操作可能とされている。そして、開口２０の開放状態では、操作突起５２は、スリット４０の後縁から僅かに離間して位置するようになっており、このとき、ガイド壁部４２の後端部には、最後端側の凸部５１が当接している。
【００３８】
なお、操作突起５２露出用のスリット４０によってケース１２の内外が連通されるが、このスリット４０はビスボス３６と、ケース１２内の略全高に亘るドア５０によって常時ほぼ閉塞され、かつ、内壁としての遊動規制壁２８によって、リール１４に巻装された磁気テープＴへの塵埃等の付着が防止されるようになっている。
【００３９】
また、ドア５０の前端部内面には、開口２０閉塞時において、リーダーピン２２の上端部側面及び下端部側面に当接するストッパー５８が突設されており、落下衝撃等によってリーダーピン２２がピン保持部２４から脱落するのを、より一層防止できるようになっている。そして、ドア５０を開口２０閉塞方向へ付勢する付勢部材としてのコイルばね５６は、ドア５０が開口２０の閉塞状態でケース１２の右後角部に至る長さであるため、右後角部における遊動規制壁２８と右壁１２Ｂ（周壁１６Ａ、１８Ａ）との間の空間を有効利用して配設されている。
【００４０】
すなわち、ドア５０の後端近傍の内周面には、背面視略Ｌ字状のばね保持部５４が上方に向かって一体的に突設され、下ケース１８の凹部４８近傍の内面には、円柱状のばね係止部５５が上方に向かって突設されている。そして、コイルばね５６の両端にはリング状の取付部５６Ａ、５６Ｂがそれぞれ形成されている。したがって、コイルばね５６は、その一方の取付部５６Ｂをばね係止部５５に上方から挿入し、他方の取付部５６Ａをばね保持部５４に上方から挿入することにより、上記した空間内に簡単に取り付けることができる。
【００４１】
また、上ケース１６には、ドア５０の開閉時に、ばね保持部５４の上端が摺接するリブ５７が、平面視略円弧状に立設されている。このリブ５７は、少なくともドア５０が移動（開放）し始める際には、ばね保持部５４の上端が摺接できるような位置及び長さに配設され、コイルばね５６の付勢力に抗して移動するばね保持部５４を好適にガイドすることにより、ドア５０がより安定して開放されるように（開放時にドア５０がコイルばね５６の付勢力によってブレないように）している。
【００４２】
以上のような記録テープカートリッジ１０において、ケース１２の前壁１２Ａの上下方向略中央には、平断面視で等脚台形状にケース１２の内方へ凹んだ凹部４３が形成されている。この凹部４３は、図示するように、上ケース１６の周壁１６Ａと下ケース１８の周壁１８Ａに跨るように形成され、かつ、上ケース１６の天板及び下ケース１８の底板が切り欠かれないように形成されている。
【００４３】
つまり、上ケース１６の天板部分を除く周壁１６Ａの一部が、ケース１２の内方へ平断面視等脚台形状に凹んで凹部４５が形成され、下ケース１８の底板部分を除く周壁１８Ａの一部が、ケース１２の内方へ平断面視等脚台形状に凹んで凹部４７が形成されて、これら凹部４５、４７が、ケース１２の組立後（上ケース１６と下ケース１８とを接合後）に互いに連通することにより、凹部４３が形成されるようになっている。なお、凹部４３（凹部４５、４７）を形成する位置は、リール１４やばね保持部２７等とは干渉しない適宜位置であることは言うまでもない。
【００４４】
このような凹部４３（凹部４５、４７）を形成すると、前壁１２Ａ（周壁１６Ａ、１８Ａ）の剛性を高めることができる。すなわち、前壁１２Ａ（周壁１６Ａ、１８Ａ）の一部を折り曲げ加工したことになるため、それによる強度の向上が図れる。したがって、落下等によって前壁１２Ａに衝撃を受けても、その前壁１２Ａが撓み変形するのを抑制することができ、ピン保持部２４からのリーダーピン２２の脱落を防止することができる。
【００４５】
また、前壁１２Ａの下側（周壁１８Ａ）で、かつ左壁１２Ｃ側には、底面視で内側に略三角形状に凹んだ位置規制用凹部４９が形成されている。この位置規制用凹部４９は、ドライブ装置側の係合部材（図示省略）と係合することにより、装填された記録テープカートリッジ１０の位置規制をするようになっている。そして、この位置規制用凹部４９で位置規制された後、上記した袋部２８Ａ、２９の位置規制用穴にドライブ装置側の位置決め部材（図示省略）が挿入されることにより、ドライブ装置（バケット）に装填された記録テープカートリッジ１０の位置決めが精度よく行われるようになっている。
【００４６】
また、これと同様に、凹部４３に対してドライブ装置の係合部材（図示省略）が係合するように構成し、各種識別用、例えばドライブ装置に対する記録テープカートリッジ１０の記録・再生可能か否かの識別用として利用するようにしてもよい。すなわち、ドライブ装置側に、位置規制用凹部４９に係合する係合部材とは別の係合部材を設け、記録テープカートリッジ１０をドライブ装置に装填したときに、その係合部材を凹部４３に係合可能に構成する。
【００４７】
このような構成にすると、例えば前壁１２Ａに、凹部４３（凹部４５、４７）が設けられていない場合には、その係合部材に前壁１２Ａが干渉してしまうので、記録・再生不可と判断されるようにでき、凹部４３（凹部４５、４７）が設けられていれば、その凹部４３（凹部４５、４７）に係合部材が係合するので、記録・再生可能と判断されるようにできる。
【００４８】
したがって、各記録テープカートリッジ１０を、それぞれに合った（記録・再生可能な）ドライブ装置に装填できるため、従来のように誤ったドライブ装置に装填されることにより、記録テープカートリッジ１０が損傷したり、そのドライブ装置が故障する等のトラブルは発生しない。
【００４９】
なお、ドライブ装置のバケット等に設けられる上記係合部材は、位置規制用凹部４９及び凹部４３内に進入して係合可能に構成されていれば、どのようなものでもよく、例えば固定状態に突設された円柱状のピン等、簡単な構造のもので構わない。また、凹部４３は上ケース１６と下ケース１８に跨って形成され、かつ、平断面視で等脚台形状に形成されているので、比較的大きく、かつ左右に拡開した形状に構成される。よって、係合部材は凹部４３と確実に係合することができる。
【００５０】
以上のような構成の記録テープカートリッジ１０において、次に、本実施の形態の作用について説明する。上記構成の記録テープカートリッジ１０では、不使用時（保管時や運搬時等）には、開口２０がドア５０によって閉塞されている。そして、磁気テープＴを使用する際には、位置規制用凹部４９が形成されている側を先頭にして記録テープカートリッジ１０を矢印Ａ方向に沿って、ドライブ装置のバケット内へ装填する。
【００５１】
すると、まず、そのバケット内に設けられている係合部材が位置規制用凹部４９内に相対的に進入し、係合（当接）する。そして、このとき、凹部４３（凹部４５、４７）にも係合する係合部材を設けておけば、それによって、ドライブ装置に対する記録テープカートリッジ１０の識別（記録・再生可能か否かの識別）が可能となる。
【００５２】
つまり、記録・再生不可と判断された場合には、その記録テープカートリッジ１０を取り出し、別のドライブ装置に装填することができるため、誤って記録・再生操作されることがない。よって、記録テープカートリッジ１０が損傷したり、ドライブ装置が故障したりすることはない。なお、凹部４３は上ケース１６と下ケース１８とに跨って形成され、かつ平断面視で等脚台形状に形成されているので、係合部材の配設位置に多少の誤差があっても、その係合部材に確実に係合される。
【００５３】
こうして、記録・再生可能と判断され、バケット内において位置規制されると、今度はそのバケット（図示省略）毎、矢印Ａ方向へ移動し、記録テープカートリッジ１０のドア５０が開放される。すなわち、ドライブ装置側に設けられた開閉部材（図示省略）が、前方へ開放しているスリット４０に進入し、ドア５０の操作突起５２に係合する。
【００５４】
そして、この状態で、記録テープカートリッジ１０がバケット毎、更に矢印Ａ方向へ移動すると、開閉部材が操作突起５２をコイルばね５６の付勢力に抗しつつ相対的に後方へ移動させる。すると、その操作突起５２が突設されているドア５０は、凸部５１がガイド壁部４２によって案内されつつ、その湾曲方向に沿って平面視時計方向に回動する。すなわち、ドア５０は、ガイド壁部４２によって、その湾曲形状に沿った移動軌跡からはみ出すことなく、ピン保持部２４及びリール１４の外側を回り込むように略後方へ移動し、開口２０を開放する。
【００５５】
こうして、記録テープカートリッジ１０がドライブ装置に所定深さ装填され、開口２０が完全に開放されると、袋部２８Ａ、２９に形成された位置規制用穴に、ドライブ装置の位置決め部材（図示省略）がそれぞれ挿入され、記録テープカートリッジ１０がドライブ装置内において精確に位置決めされるとともに、ドア５０のそれ以上の回動（略後方への移動）が規制される。
【００５６】
そして、開放された開口２０から、ドライブ装置の引出手段がケース１２内に進入し、ピン保持部２４に位置決め保持されたリーダーピン２２を把持して引き出す。なお、このとき、記録テープカートリッジ１０はドライブ装置内において精確に位置決めされているので、引出部材は確実にリーダーピン２２を把持できる。
【００５７】
開口２０から抜き出されたリーダーピン２２は図示しない巻取リールに収容される。そして、その巻取リールとリール１４とを同期して回転駆動することにより、磁気テープＴは、巻取リールに巻き取られつつ順次ケース１２から引き出され、所定のテープ経路に沿って配設された記録再生ヘッド等によって情報の記録や再生が行われる。
【００５８】
一方、磁気テープＴがリール１４に巻き戻されて、記録テープカートリッジ１０をドライブ装置から排出する際には、位置規制用穴等から位置決め部材が抜き出され、記録テープカートリッジ１０のドライブ装置に対する位置決め状態が解除される。そして、その記録テープカートリッジ１０は図示しないイジェクト機構によって、矢印Ａ方向とは反対方向に、まずバケット毎移動される。
【００５９】
この移動に伴って、ドア５０は、その凸部５１がガイド壁部４２に案内されつつ、コイルばね５６の付勢力によって開口２０の閉塞方向へ回動し、開口２０を完全に閉塞する（初期状態に復帰する）。開口２０が閉塞された記録テープカートリッジ１０は、今度はバケット内から図示しないイジェクト機構によって、矢印Ａ方向とは反対方向に移動させられ、各係合部材から位置規制用凹部４９及び凹部４３（凹部４５、４７）が離間して、ドライブ装置内から完全に排出される。
【００６０】
ここで、記録テープカートリッジ１０の開口２０は、ケース１２の右前角部が切り欠かれて形成されることにより、その開放面が矢印Ａ方向及び矢印Ｂ方向に向いている。このため、ドライブ装置の引出手段が、矢印Ａ方向、矢印Ｂ方向、あるいは矢印Ａ方向と矢印Ｂ方向との間からアクセスしてリーダーピン２２をチャックできる。つまり、ドライブ装置の引出手段が、リーダーピン２２をチャックできる領域を広げられるため、引出手段の仕様に合わせて、ピン保持部２４の配設位置を設定でき、ドライブ装置の設計の自由度を広げることができる。
【００６１】
また、その開口２０が端部に形成された前壁１２Ａ（周壁１６Ａ、１８Ａ）に、凹部４３（凹部４５、４７）を形成したので、前壁１２Ａの強度の向上が図れ、落下衝撃による前壁１２Ａの撓み変形を抑制することができる。したがって、リーダーピン２２のピン保持部２４からの脱落や位置ずれを防止することができる。
【００６２】
【発明の効果】
以上、何れにしても本発明によれば、端部に開口が形成された、ドライブ装置への装填側周壁の強度を向上させることができる。
【図面の簡単な説明】
【図１】記録テープカートリッジの概略斜視図
【図２】記録テープカートリッジの概略分解斜視図
【図３】下ケースの概略平面図
【図４】上ケースの概略平面図
【図５】ケースの前壁部分を示す概略斜視図
【図６】従来の記録テープカートリッジの概略分解斜視図
【符号の説明】
１０　記録テープカートリッジ
１２　ケース
１４　リール
１６　上ケース
１８　下ケース
４３　凹部
４５　凹部
４７　凹部
４９　位置規制用凹部
【図１】
2004095066.tif 000003
【図２】
2004095066.tif 000004
【図３】
2004095066.tif 000005
【図４】
2004095066.tif 000006
【図５】
2004095066.tif 000007
【図６】
2004095066.tif 000008